【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】  印刷画像の濃度や階調再現性を調整するためのキャリブレーション情報を保持するための情報保持手段と、
該情報保持手段に保持されているキャリブレーション情報に従って描画データを得る描画データ取得手段と、
前記キャリブレーション情報を生成するキャリブレーション手段と、
前記情報保持手段に保持されているキャリブレーション情報と、前記キャリブレーション手段により生成された最新のキャリブレーション情報とを比較する情報比較手段とを備え、
前記情報比較手段の比較結果が許容範囲内の場合に前記描画データ取得手段により得られた描画データを印刷することを特徴とする印刷装置。
【請求項２】  請求項１に記載の印刷装置において、前記情報保持手段は不揮発性メモリであることを特徴とする印刷装置。
【請求項３】  請求項１または２に記載の印刷装置において、前記描画データを圧縮する圧縮手段と、該圧縮手段によって圧縮された描画データを伸張する伸張手段とをさらに備えたことを特徴とする印刷装置。
【請求項４】  請求項３に記載の印刷装置において、前記圧縮手段によって圧縮された描画データを保持するための記憶手段をさらに備えたことを特徴とする印刷装置。
【請求項５】  印刷データを解釈し画像形成して得られた描画データを印刷する印刷装置の印刷方法において、
前記印刷装置は、印刷画像の濃度や階調再現性を調整するためのキャリブレーション情報を保持するための情報保持手段を有しており、前記印刷装置のＣＰＵにより、
前記情報保持手段に保持されているキャリブレーション情報に従って描画データを得る描画データ取得ステップと、
前記キャリブレーション情報を生成するキャリブレーションステップと、
前記情報保持手段に保持されているキャリブレーション情報と、前記キャリブレーションステップにより生成された最新のキャリブレーション情報とを比較する情報比較ステップと、
前記情報比較ステップの比較結果が許容範囲内の場合に前記描画データ取得ステップにより得られた描画データを印刷する印刷ステップと
を備えることを特徴とする印刷方法。
【請求項６】  請求項５に記載の印刷方法において、前記情報保持手段は不揮発性メモリであることを特徴とする印刷方法。
【請求項７】  請求項５または６に記載の印刷方法において、前記描画データ取得ステップによって、前記情報保持手段に保持されているキャリブレーション情報に従って前記描画データを得、当該得られた描画データを圧縮し、前記印刷ステップによって、前記描画データ取得ステップにおいて圧縮された描画データを伸張し、当該伸長された描画データを印刷することを特徴とする印刷方法。
【請求項８】  請求項７に記載の印刷方法において、前記印刷装置は、データを保持するための記憶手段をさらに有しており、前記描画データ取得ステップによって、圧縮された描画データを前記記憶手段に格納し、前記印刷ステップによって、前記記憶手段に保持されている前記圧縮された描画データを伸張することを特徴とする印刷方法。
【請求項９】  請求項５乃至８のいずれかに記載の印刷方法の各ステップを印刷装置に実行させることを特徴とするプログラム。
【請求項１０】  印刷データがＲＧＢデータであるかＹＭＣＫデータであるかを識別する印刷データ識別手段と、
前記印刷データを前記描画データに変換する描画データ取得手段と、
印刷画像の濃度や階調再現性を調整するためのキャリブレーション情報を生成するキャリブレーション手段とを備え、
前記印刷データ識別手段により前記印刷データがＲＧＢデータであると識別された場合は、前記キャリブレーション手段の動作終了を待たずに、前記描画データ取得手段により前記変換を行うことを特徴とする印刷装置。
【請求項１１】  請求項１０に記載の印刷装置において、前記キャリブレーション手段に替えて、消耗品の残量を検知する消耗品残量検知手段を備え、該消耗品残量検知手段が消耗品の補給を指示している状態で、前記印刷データ識別手段により前記印刷データがＲＧＢデータであると識別された場合は、前記消耗品残量検知手段が消耗品の補給を完了した状態になるのを待たずに、前記描画データ取得手段により前記変換を行うことを特徴とする印刷装置。
【請求項１２】  請求項１０または１１に記載の印刷装置において、前記描画データ取得手段により変換された前記描画データを圧縮する圧縮手段と、該圧縮手段によって圧縮された描画データを伸張する伸張手段とをさらに備えたことを特徴とする印刷装置。
【請求項１３】  請求項１２に記載の印刷装置において、前記圧縮手段によって圧縮された描画データを保持するための記憶手段をさらに備えたことを特徴とする印刷装置。
【請求項１４】  印刷データを解釈し画像形成して得られた描画データを印刷する印刷装置の印刷方法において、前記印刷装置のＣＰＵにより、
前記印刷データがＲＧＢデータであるかＹＭＣＫデータであるかを識別する印刷データ識別ステップと、
前記印刷データを前記描画データに変換する描画データ取得ステップと、
印刷画像の濃度や階調再現性を調整するためのキャリブレーション情報を生成するキャリブレーションステップとを備え、
前記印刷データ識別ステップにおいて前記印刷データがＲＧＢデータであると識別された場合は、前記キャリブレーションステップの動作終了を待たずに、前記描画データ取得ステップにおいて前記変換を行うことを特徴とする印刷方法。
【請求項１５】  請求項１４に記載の印刷方法において、前記キャリブレーションステップに替えて、前記印刷装置のＣＰＵにより、消耗品の残量を検知する消耗品残量検知ステップを備え、該消耗品残量検知ステップによって消耗品の補給が指示されている状態で、前記印刷データ識別ステップにおいて前記印刷データがＲＧＢデータであると識別された場合は、前記消耗品残量検知ステップによって消耗品の補給を完了した状態が検知されるのを待たずに、前記描画データ取得ステップにより前記変換を行うことを特徴とする印刷方法。
【請求項１６】  請求項１４または１５に記載の印刷方法において、前記印刷装置のＣＰＵにより、前記描画データ取得ステップにおいて変換された前記描画データを圧縮する圧縮ステップと、該圧縮ステップによって圧縮された描画データを伸張する伸張ステップとをさらに備えたことを特徴とする印刷方法。
【請求項１７】  請求項１６に記載の印刷方法において、前記印刷装置は、データを保持するための記憶手段をさらに有しており、前記圧縮ステップによって、圧縮された描画データを前記記憶手段に格納し、前記伸張ステップによって、前記記憶手段に保持されている前記圧縮された描画データを伸張することを特徴とする印刷方法。
【請求項１８】  請求項１４乃至１７のいずれかに記載の印刷方法の各ステップを印刷装置に実行させることを特徴とするプログラム。
【手続補正２】
【補正対象書類名】明細書
【補正対象項目名】００１３
【補正方法】変更
【補正の内容】
【００１３】
【課題を解決するための手段】
このような目的を達成するために、本発明の印刷装置は、印刷画像の濃度や階調再現性を調整するためのキャリブレーション情報を保持するための情報保持手段と、該情報保持手段に保持されているキャリブレーション情報に従って描画データを得る描画データ取得手段と、前記キャリブレーション情報を生成するキャリブレーション手段と、前記情報保持手段に保持されているキャリブレーション情報と、前記キャリブレーション手段により生成された最新のキャリブレーション情報とを比較する情報比較手段とを備え、前記情報比較手段の比較結果が許容範囲内の場合に前記描画データ取得手段により得られた描画データを印刷することを特徴とする。
【手続補正３】
【補正対象書類名】明細書
【補正対象項目名】００４９
【補正方法】変更
【補正の内容】
【００４９】
〔実施態様１〕  印刷画像の濃度や階調再現性を調整するためのキャリブレーション情報を保持するための情報保持手段と、該情報保持手段に保持されているキャリブレーション情報に従って描画データを得る描画データ取得手段と、前記キャリブレーション情報を生成するキャリブレーション手段と、前記情報保持手段に保持されているキャリブレーション情報と、前記キャリブレーション手段により生成された最新のキャリブレーション情報とを比較する情報比較手段とを備え、前記情報比較手段の比較結果が許容範囲内の場合に前記描画データ取得手段により得られた描画データを印刷することを特徴とする印刷装置。
【手続補正４】
【補正対象書類名】明細書
【補正対象項目名】００５５
【補正方法】変更
【補正の内容】
【００５５】
〔実施態様５〕  印刷データを解釈し画像形成して得られた描画データを印刷する印刷装置の印刷方法において、前記印刷装置は、印刷画像の濃度や階調再現性を調整するためのキャリブレーション情報を保持するための情報保持手段を有しており、前記印刷装置のＣＰＵにより、前記情報保持手段に保持されているキャリブレーション情報に従って描画データを得る描画データ取得ステップと、前記キャリブレーション情報を生成するキャリブレーションステップと、前記情報保持手段に保持されているキャリブレーション情報と、前記キャリブレーションステップにより生成された最新のキャリブレーション情報とを比較する情報比較ステップと、前記情報比較ステップの比較結果が許容範囲内の場合に前記描画データ取得ステップにより得られた描画データを印刷する印刷ステップとを備えることを特徴とする印刷方法。
【手続補正５】
【補正対象書類名】明細書
【補正対象項目名】００６３
【補正方法】変更
【補正の内容】
【００６３】
〔実施態様１１〕  印刷データがＲＧＢデータであるかＹＭＣＫデータであるかを識別する印刷データ識別手段と、前記印刷データを前記描画データに変換する描画データ取得手段と、印刷画像の濃度や階調再現性を調整するためのキャリブレーション情報を生成するキャリブレーション手段とを備え、前記印刷データ識別手段により前記印刷データがＲＧＢデータであると識別された場合は、前記キャリブレーション手段の動作終了を待たずに、前記描画データ取得手段により前記変換を行うことを特徴とする印刷装置。
【手続補正６】
【補正対象書類名】明細書
【補正対象項目名】００６９
【補正方法】変更
【補正の内容】
【００６９】
〔実施態様１５〕  印刷データを解釈し画像形成して得られた描画データを印刷する印刷装置の印刷方法において、前記印刷装置のＣＰＵにより、前記印刷データがＲＧＢデータであるかＹＭＣＫデータであるかを識別する印刷データ識別ステップと、前記印刷データを前記描画データに変換する描画データ取得ステップと、印刷画像の濃度や階調再現性を調整するためのキャリブレーション情報を生成するキャリブレーションステップとを備え、前記印刷データ識別ステップにおいて前記印刷データがＲＧＢデータであると識別された場合は、前記キャリブレーションステップの動作終了を待たずに、前記描画データ取得ステップにおいて前記変換を行うことを特徴とする印刷方法。